(57)【要約】【課題】躯体や架台等への取り付けが容易でメンテナンス性にも優れたソーラーパネルの取付構造の提供を目的とする。【解決手段】ソーラーパネルの取付構造であって、ソーラーパネルは上部側に引掛部を有し、ソーラーパネルを取り付ける躯体側に水平方向のハンガーフレームを有し、ハンガーフレームはソーラーパネルの取付時に、ソーラーパネルの前後方向の回動を許容しつつ、当該ソーラーパネルの引掛部の前後方向の位置決めが可能なハンガー手段を有することを特徴とする。【選択図】  図１
2014205963.tif 000002
【特許請求の範囲】
【請求項１】
ソーラーパネルの取付構造であって、
ソーラーパネルは上部側に引掛部を有し、
ソーラーパネルを取り付ける躯体側に水平方向のハンガーフレームを有し、
ハンガーフレームはソーラーパネルの取付時に、ソーラーパネルの前後方向の回動を許容しつつ、当該ソーラーパネルの引掛部の前後方向の位置決めが可能なハンガー手段を有することを特徴とするソーラーパネルの取付構造。
【請求項２】
前記ソーラーパネルの引掛部は、下方向に向けて突設した引掛片であり、
前記ハンガー手段は上部にソーラーパネルの引掛片を挿入する溝部を有し、当該溝部の下側に挿入された引掛片が前後方向に回動するのを許容する空間を有することを特徴とする請求項１記載のソーラーパネルの取付構造。
【請求項３】
前記ソーラーパネルの引掛部とハンガーフレームとのうち、一方に凸部を形成し、他方に凹部を形成した枢着構造になっていることを特徴とする請求項１記載のソーラーパネルの取付構造。
【発明の詳細な説明】
【技術分野】
【０００１】
本発明はソーラーパネルの躯体、架台等への取付、設置構造に関する。
【背景技術】
【０００２】
近年、ソーラーパネルを用いた太陽光発電システムが普及しつつある。
発電規模が大型になればそれだけ、ソーラーパネルの取付枚数も多くなり、現地でのソーラーパネルの配線作業及び固定作業等の作業性が問題となる。
例えば、特許文献１等に開示するソーラーパネルの取付構造は複雑で作業性に問題がある。
【先行技術文献】
【特許文献】
【０００３】
【特許文献１】特開２０１１−０３８２８６号公報
【発明の概要】
【発明が解決しようとする課題】
【０００４】
本発明は、躯体や架台等への取り付けが容易でメンテナンス性にも優れたソーラーパネルの取付構造の提供を目的とする。
【課題を解決するための手段】
【０００５】
本発明は、ソーラーパネルの取付構造であって、ソーラーパネルは上部側に引掛部を有し、ソーラーパネルを取り付ける躯体側に水平方向のハンガーフレームを有し、ハンガーフレームはソーラーパネルの取付時に、ソーラーパネルの前後方向の回動を許容しつつ、当該ソーラーパネルの引掛部の前後方向の位置決めが可能なハンガー手段を有することを特徴とする。
【０００６】
具体例としては、前記ソーラーパネルの引掛部は、下方向に向けて突設した引掛片であり、前記ハンガー手段は上部にソーラーパネルの引掛片を挿入する溝部を有し、当該溝部の下側に挿入された引掛片が前後方向に回動するのを許容する空間を有する例や、前記ソーラーパネルの引掛部とハンガーフレームとのうち、一方に凸部を形成し、他方に凹部を形成した枢着構造になっている例が挙げられる。
なお、本発明ではソーラーパネルの上部をハンガーフレームに引っ掛けて、下部側を取り付ける躯体等に向かって前後方向と称する。
【発明の効果】
【０００７】
ソーラーパネルを前後方向に斜めに傾けて、上部をハンガーフレームに引っ掛けるために単に凹部状の溝部を設けただけの場合に、溝幅が狭いとソーラーパネルを斜めに傾けた状態で、この溝部にソーラーパネルの引掛部を引っ掛けるだけのクリアランスがなく、逆にこのクリアランスを大きくとると、取り付けたソーラーパネルが溝幅に沿って前後方向にガタ付く問題があるのに対して、本発明に係るハンガー手段はソーラーパネルの前後方向の回動を許容しつつ引掛部の前後方向の位置決めが可能になっているので、ソーラーパネルを前後方向に斜めになるように傾けて、ソーラーパネルの上部をハンガーフレームに引っ掛けた状態で、ソーラーパネルの裏側の配線作業が可能であり、且つ、ソーラーパネルを躯体等に取り付けた状態でソーラーパネルの引掛部が前後方向にガタ付くのを防止する。
【図面の簡単な説明】
【０００８】
【図１】（ａ）はソーラーパネルの上部をハンガーフレームに引っ掛けた状態を示し、（ｂ）はソーラーパネルの下部を取付フレーム側に載置固定した状態を示す。
【図２】躯体の下端に位置するソーラーパネルの取付構造の例を示す。（ａ）はソーラーパネルの取付前、（ｂ）は取付後を示す。
【図３】平行に所定間隔毎に設けた取付フレームにソーラーパネルを取り付ける例を示す。
【図４】引掛部の第２実施例を示す。
【図５】引掛部の第３の実施例を示す。
【発明を実施するための形態】
【０００９】
本発明に係るソーラーパネルの取付構造例を以下図面に基づいて説明するが本発明はこれに限定されない。
図１は躯体等に取り付ける最上段側のソーラーパネルの取付断面図を示し、図２は最下段側のソーラーパネルの取付断面図を示す。
なお、中間部は図３に示すように平行に取り付けた取付フレーム間に順次ソーラーパネルを取り付ける。
図１〜３は躯体の側壁等に取り付ける例を示すが、屋根や傾斜した架台等に傾斜面状に取り付ける場合も本発明に含まれる。
【００１０】
ソーラーパネル２０は図３に示すように太陽光電池モジュールをパネル状に枠組みされたものが一般的である。
図１に示した実施例はソーラーパネル２０の上枠２１から垂下させた引掛片２１ａを有し、下枠２２に載置フレーム２２ａを連結した例になっている。
この引掛片２１ａ及び載置フレーム２２ａはソーラーパネルと一体的に形成しても、別部品をソーラーパネルに連結してもよい。
躯体１にはアンカーボルト２を用いて水平方向に相互に平行に複数本の取付フレーム１２を図３に示すように、ナット２ａ等で固定してある。
取付フレーム１２は下部側にハンガーフレーム１１がビス等の締結部材１１ｅを用いて固定してあり、上部側にソーラーパネル２０の下端側を載置支持する載置部１２ａを有する。
ハンガーフレーム１１は水平部１１ａから立設部１１ｂを立ち上げ、その上端を内側に折り曲げた上片部１１ｃになっていて、取付フレーム１２の前面とでソーラーパネルの引掛片２１ａを差し込む（挿入する）溝部１１ｄを形成してある。
従って、図１（ａ）に示すように、溝部１１ｄの下部は中空部Ｓからなる空間が形成され、ソーラーパネル２０を斜めに傾けたまま引掛片２１ａを差し込むことができる。
溝部１１ｄは条状の細い溝になっていて、この溝幅は引掛片２１ａの板厚よりも若干大きいだけの寸法に設定してあり、ソーラーパネル２０を前後方向に回動できるが、引掛片（引掛部）２１ａが前後方向にずれないようになっている。
溝幅Ｔは引掛片の板厚ｔより０．２〜２ｍｍ程度だけ大きいのがよく、好ましくは０．２〜１ｍｍ位がよい。
【００１１】
ソーラーパネル２０の下枠に取り付けた載置フレーム２２ａは、ソーラーパネル２０の上部をハンガーフレーム１１に引っ掛けた状態で、このソーラーパネル２０を少し持ち上げ取付フレーム１２の載置部１２ａに載置できるようになっている。
本実施例では立設片１２ｂ、１２ｃを立ち上げることでその間に凹部状の載置部１２ａを形成した例になっている。
一方、載置フレーム２２ａ側は垂下片２２ｃを形成し、載置フレーム２２の先端と垂下片２２ｃとで形成した挿入幅Ｗ１が載置部１２ａの幅Ｗ０よりも少しだけ小さく設定してあり、載置フレーム２２を取付フレーム１２に載置するだけで前後方向の位置決めが可能になっている。
ソーラーパネル２０は取付フレーム１２を用いて図３に示すように順次取り付けることができる。
また、ソーラーパネル２０を取付後に押え部材３０をソーラーパネル２０の上端を下側に向けて押えるようにビス３１等で固定する。
これにより、多くの枚数のソーラーパネル２０を設置した後に一部のソーラーパネル２０を取り替えたり、配線等のメンテナンスをする場合にはこの押え部材３０を取り外すだけで可能となる。
本実施例では、図１に示すように最上段のソーラーパネル２０の上部に上部カバー部材１３を取り付け、図２に示すように最下段の下部に下部カバー部材１４を取り付けた例になっている。
【００１２】
図４に第２の実施例を示す。ｌ
本実施例は、取付フレーム１２とハンガーフレーム１１を一体に形成した。
ハンガーフレーム１１には、ハンガー手段として断面略円形状の凸部１１ｆを形成し、ソーラーパネル２０の上枠２１側に下面が断面略円形状の凹部２１ｂを形成することで枢着してあり、引掛部の前後方向の位置決めをしつつ回動可能になっている。
また、ソーラーパネル２０の下枠２２に内側に延在させた支持片２３を取り付けることで、ソーラーパネル２０を傾斜させた状態にして取付フレーム１２に対して固定できる。
また、押え部材３０ａにてソーラーパネルの浮き上がりを防止した。
【００１３】
図５に第３の実施例を示す。
ソーラーパネル２０引掛部を枢着構造にしたのは実施例２と同様であるが、上枠２１の引掛凹部部材２１ｄを樹脂製の別ピースにし、フレーム部材２１ｃを用いて上枠２１に固定するとともに上部を断面略Ｕ字形状の押え部材３０ｂで固定し、下部は支持片２４と支持フレーム２５でソーラーパネルの下端部を支えるように固定した例になっている。
【符号の説明】
【００１４】
１        駆体
２        アンカーボルト
１１      ハンガーフレーム
１１ａ    水平部
１１ｂ    立設部
１１ｃ    上片部
１１ｄ    溝部
１２      取付フレーム
１２ａ    載置部
２０      ソーラーパネル
２１      上枠
２１ａ    引掛部
２２      下枠
２２ａ    載置フレーム
Ｓ        中空部
【図１】
2014205963.tif 000003
【図２】
2014205963.tif 000004
【図３】
2014205963.tif 000005
【図４】
2014205963.tif 000006
【図５】
2014205963.tif 000007